(57)【要約】【課題】  喫煙者が快く喫煙できるために、喫煙により徴収された税金に関する情報を知ることができる自動販売機管理システム及びその自動販売機を提供する。【解決手段】  屋内又は屋外の所定場所に設置される無人で商品を提供する自動販売機２を管理する自動販売機管理システムであって、自動販売機２側に設けられ、商品を購入しようとする購入者を特定する購入者特定手段と、購入者により購入された商品を特定する購入商品特定手段と、その特定した購入者情報及び購入商品情報を通信ネットワーク１を通じて管理センタ３へ送信する購入情報送信手段と、その管理センタ３に設けられ、商品毎に課せられた各種税金情報を記憶する税金情報記憶手段と、送信された購入商品情報に基づいて購入者が購入した商品に対する税金情報を税金情報記憶手段から読み出す読出手段と、読出手段により読み出された税金情報を、送信された購入者情報と関連付けて通信ネットワーク１を通じて自動販売機側へ送信する情報送信手段と、を備えることを特徴とする。【選択図】図５
2008071132.tif 000002
【特許請求の範囲】
【請求項１】
屋内又は屋外の所定場所に設置される無人で商品を提供する自動販売機を管理する自動販売機管理システムであって、
前記自動販売機側に設けられ、商品を購入しようとする購入者を特定する購入者特定手段と、
前記購入者により購入された商品を特定する購入商品特定手段と、
その特定した購入者情報及び購入商品情報を通信ネットワークを通じて管理センタへ送信する購入情報送信手段と、
その管理センタに設けられ、前記商品毎に課せられた各種税金情報を記憶する税金情報記憶手段と、
前記送信された購入商品情報に基づいて前記購入者が購入した商品に対する税金情報を前記税金情報記憶手段から読み出す読出手段と、
前記読出手段により読み出された税金情報を、前記送信された購入者情報と関連付けて前記通信ネットワークを通じて前記自動販売機側へ送信する情報送信手段と、
を備えることを特徴とする自動販売機管理システム。
【請求項２】
前記情報送信手段により送信する税金情報が、前記購入者の今回購入した商品に対する税金情報である請求項１に記載の自動販売機管理システム。
【請求項３】
前記読出手段により読み出された税金情報を、前記送信された購入者情報と関連付けて記憶する購入者納税情報記憶手段を備え、
前記読出手段が前記購入者納税情報記憶手段から購入者納税情報を読み出し、また、前記情報送信手段がその読み出された該購入者納税情報を前記通信ネットワークを通じて前記自動販売機側へ送信することを含み、
前記情報送信手段により送信する前記購入者納税情報が、前記購入者の予め定められた期間内において累積した税金情報である請求項１又は２に記載の自動販売機管理システム。
【請求項４】
屋内又は屋外の所定場所に設置されて無人で商品を提供する自動販売機であって、
提供する商品毎に課せられた各種税金情報を記憶する税金情報記憶手段と、
購入者により購入された商品を特定する購入商品特定手段と、
前記購入商品特定手段により、特定した購入商品に対応する前記税金情報を前記税金情報記憶手段から読み出す読出手段と、
前記読出手段により読み出した税金情報を商品購入した購入者に目視可能な形で表示する表示手段と、
を備える自動販売機。
【請求項５】
屋内又は屋外の所定場所に設置されて無人で商品を提供する自動販売機であって、
提供する商品毎に課せられた各種税金情報を記憶する税金情報記憶手段と、
商品を購入しようとする購入者を特定する購入者特定手段と、
前記購入者により購入された商品を特定する購入商品特定手段と、
前記購入商品特定手段により、特定した購入商品に対応する前記税金情報を前記税金情報記憶手段から読み出す読出手段と、
予め定められた期間内において、前記読出手段により読み出した税金情報を前記購入者特定手段が特定した購入者情報と関連付けるとともに、その購入者毎に前記税金情報を累積して記憶する購入者納税情報記憶手段と、
前記購入者納税情報から前記税金情報を商品購入した購入者に目視可能な形で表示する表示手段と、
を備えることを特徴とする自動販売機。
【発明の詳細な説明】
【技術分野】
【０００１】
本発明は、自動販売機管理システム及びその自動販売機に関する。
【背景技術】
【０００２】
厚生労働省により平成１５年５月１日に施行された「健康増進法」では、「学校、体育館、病院、劇場、観覧車、集会場、展示場、百貨店、事務所、官公庁施設、飲食店その他の多数の者が利用する施設を管理する者は、これらを利用する者について、受動喫煙（室内又はこれに準ずる環境において、他人の煙草の煙を吸わされることをいう。）を防止するために必要な措置を講ずるように努めなければならない」と定められている。
【０００３】
また、労働者の健康確保と快適な職場環境の形成を図る観点から、一層の受動喫煙防止対策の充実を図るための、「（新）職場における喫煙対策のためのガイドライン」が策定され、受動喫煙を確実に防止するため、可能な限り非喫煙場所に煙草の煙が漏れない喫煙室の設置が推奨されている。さらに、受動喫煙やタバコの火による火傷などの被害の防止を図り、路上喫煙を禁止する路上禁煙区域の条例化が全国的に広がりを見せている。
【０００４】
上記のように喫煙に関する法律や条例が策定され、昨今の社会環境においては、喫煙により健康を害し医療費を多く使用していることのみ取りざたされて、喫煙は百害あって一利なしというように絶対悪という風潮があり、喫煙者は気兼ねなく嗜好品として楽しみながら喫煙をすることが難しくなっている。
【０００５】
ところで、煙草を購入する場所としては、販売店舗や自動販売機があり、無人で商品（煙草）を提供する自動販売機には、未成年者がタバコを購入するのを防止する目的で、深夜においては利用できないようになっているものがある。そして、煙草等の年齢による購入制限がある商品の自動販売機としては、メモリカードを使用して利用する自動販売機（特許文献１参照）、ＩＣカード保険証や指紋を使用して利用する自動販売機（特許文献２参照）、携帯電話等の携帯端末を使用して利用する自動販売機（特許文献３，４参照）などが知られている。
【特許文献１】特開２００２−１６３７１２号公報
【特許文献２】特開２００３−００６７２０号公報
【特許文献３】特開２００２−２１６２３８号公報
【特許文献４】特開２００３−０７７０３９号公報
【発明の開示】
【発明が解決しようとする課題】
【０００６】
しかしながら、各特許文献の如く無人で商品を提供する自動販売機にも様々な制限が施されており、喫煙者側に立ったサービスを提供するものはなく、喫煙者が気兼ねなく嗜好品として楽しみながら喫煙をすることができるものはない。
【０００７】
また、現在では煙草１箱の価格の半分以上が税金であるため、喫煙者の中には、上記のように自動販売機の利用制限や路上禁止区域などが設定される中で、喫煙できる場所が急激に減少しており、にも拘らず禁煙区域の案内等が整備されていないケースが多く、その徴収される煙草の税金で喫煙環境の整備を願う声も聞かれている。さらには、一方的に税率の値上げが実施されるなか、その煙草の税金として徴収された税金の使用用途が分からないというジレンマがある。
【０００８】
本発明は、上記事情に鑑みなされたものであり、喫煙者が快く喫煙できるために、喫煙により徴収された税金に関する情報を知ることができる自動販売機管理システム及びその自動販売機を提供することにある。
【課題を解決するための手段及び発明の効果】
【０００９】
上記課題を解決するために、本発明の自動販売機管理システムは、
屋内又は屋外の所定場所に設置される無人で商品を提供する自動販売機を管理する自動販売機管理システムであって、
自動販売機側に設けられ、商品を購入しようとする購入者を特定する購入者特定手段と、
購入者により購入された商品を特定する購入商品特定手段と、
その特定した購入者情報及び購入商品情報を通信ネットワークを通じて管理センタへ送信する購入情報送信手段と、
その管理センタに設けられ、商品毎に課せられた各種税金情報を記憶する税金情報記憶手段と、
送信された購入商品情報に基づいて購入者が購入した商品に対する税金情報を税金情報記憶手段から読み出す読出手段と、
読出手段により読み出された税金情報を、送信された購入者情報と関連付けて通信ネットワークを通じて自動販売機側へ送信する情報送信手段と、
を備えることを特徴とする。
【００１０】
上記本発明によれば、自動販売機側に商品を購入しようとする購入者を特定する購入者特定手段が設けられ、かつ、その購入者が購入した商品を特定する購入商品特定手段が設けられ、それら特定された購入者情報及び購入商品情報が通信ネットワークを通じて管理センタへ送信される。一方、その管理センタには、商品毎に課せられた各種税金情報が記憶されており、送信された購入商品情報を基に対応する税金情報を読み出して、送信された購入者情報と関連付けて該税金情報が自動販売機側に送信される。これによれば、管理センタから購入者（喫煙者）情報と関連付けられた税金情報が自動販売機側に送信されるので、購入者は自分が納税しているということを改めて自覚することになり、その購入した商品を快く利用（嗜好品として快く喫煙）することができる。また、管理センタに商品毎に課せられた各種税金情報が記憶されているので、例えば税率が変動した場合にも設定を容易に変更することができる。
【００１１】
また、本発明の自動販売機管理システムは、
情報送信手段により送信する税金情報が、購入者の今回購入した商品に対する税金情報であるようにすることができる。これにより、購入者は自動販売機で商品を買うたびに徴収される税金が表示されるので、商品を購入するたびに納税者であることを自覚することとなり、その購入した商品を気持ちよく利用（喫煙）をすることができるようになる。
【００１２】
また、本発明の自動販売機管理システムは、
読出手段により読み出された税金情報を、送信された購入者情報と関連付けて記憶する購入者納税情報記憶手段を備え、
読出手段が購入者納税情報記憶手段から購入者納税情報を読み出し、また、情報送信手段がその読み出された該購入者納税情報を通信ネットワークを通じて自動販売機側へ送信することを含み、
情報送信手段により送信する購入者納税情報が、購入者の予め定められた期間内において累積した税金情報であるようにすることができる。
【００１３】
これによれば、購入者納税情報記憶手段に購入者情報と関連付けて税金情報が記憶される。そして、その記憶した購入者納税情報を自動販売機側へ送信される。送信される購入者納税情報が一度該購入者納税情報記憶手段に記憶されるので、購入者が日々購入していく商品における累積した税金として記憶することができ、その税金情報を送信することで、購入者は予め定められた期間内においての累計納税額を認識することができる。ひいては、その所定期間内で消費した金額、利用した個数（喫煙した本数）を容易に把握することができる。
【００１４】
上記課題を解決するために、本発明の自動販売機は、
屋内又は屋外の所定場所に設置されて無人で商品を提供する自動販売機であって、
提供する商品毎に課せられた各種税金情報を記憶する税金情報記憶手段と、
購入者により購入された商品を特定する購入商品特定手段と、
購入商品特定手段により、特定した購入商品に対応する税金情報を税金情報記憶手段から読み出す読出手段と、
読出手段により読み出した税金情報を商品購入した購入者に目視可能な形で表示する表示手段と、を備えることを特徴とする。
【００１５】
上記本発明によれば、商品毎に課せられた各種税金情報が記憶されており、購入者が購入した商品を特定する購入商品特定手段が設けられ、その特定された購入商品情報を基に対応する税金情報を読み出して、そして、購入者に対して表示される。これによれば、購入した商品に対して課せられている税金に関する情報が表示手段に表示されるので、購入者は自分が納税しているということを改めて自覚することになり、その購入した商品を快く利用（喫煙）することができる。
【００１６】
また、上記課題を解決するために、本発明の自動販売機は、
屋内又は屋外の所定場所に設置されて無人で商品を提供する自動販売機であって、
提供する商品毎に課せられた各種税金情報を記憶する税金情報記憶手段と、
商品を購入しようとする購入者を特定する購入者特定手段と、
購入者により購入された商品を特定する購入商品特定手段と、
購入商品特定手段により、特定した購入商品に対応する税金情報を税金情報記憶手段から読み出す読出手段と、
予め定められた期間内において、読出手段により読み出した税金情報を購入者特定手段が特定した購入者情報と関連付けるとともに、その購入者毎に税金情報を累積して記憶する購入者納税情報記憶手段と、
購入者納税情報から税金情報を商品購入した購入者に目視可能な形で表示する表示手段と、を備えることを特徴とする。
【００１７】
上記本発明によれば、商品毎に課せられた各種税金情報が記憶されており、商品を購入しようとする購入者を特定する購入者特定手段が設けられ、かつ、その購入者が購入した商品を特定する購入商品特定手段が設けられ、その特定された購入商品情報を基に対応する税金情報を読み出して、その税金情報を特定した購入者情報に関連付けて購入者納税情報記憶手段に記憶する。そして、購入者に対して表示される。これによれば、購入者納税情報記憶手段に購入者情報と関連付けて税金情報が記憶されので、購入者が日々購入していく商品における累積した税金として記憶することができる。そして、その記憶した購入者納税情報が表示手段に表示されるので、購入者は予め定められた期間内においての累計納税額を認識することができる。ひいては、消費した金額、喫煙した本数を容易に把握することができ、さらに自分が納税しているということを改めて自覚することになり、その購入した商品を快く利用（喫煙）することができる。
【００１８】
また、税金情報の態様として、予め定められた期間内において、全体の納税額であるようにすることもできる。これにより、自分の他にどれだけの喫煙者がいるかを把握することができる。
【００１９】
また、税金情報の態様として、その税金が使用された用途に関する情報であるようにすることもできる。これにより、自分が納めた税金がどのように有効活用（社会貢献）されているかを認識させることとなり、購入者（喫煙者）がその情報を確認することで快く喫煙できるようにすることが可能となる。
【発明を実施するための最良の形態】
【００２０】
以下、添付の図面を参照しつつ本発明の実施形態について説明する。図１は、本発明の全体構成の一例を概念的に示す図である。本発明は、例えば、屋内又は屋外の所定場所に設置されて無人で商品を提供する自動販売機のうち、通常どの商品にも課せられる消費税の他に、国たばこ税、地方たばこ税、たばこ特別税など各種税金が課せられている煙草、或いは酒税が課せられているアルコール飲料を含む特定の商品を無人で提供する自動販売機を管理するためのシステムである。本発明の自動販売機管理システム（以下、単にシステムともいう）は、自動販売機２と管理サーバ３とを有し、自動販売機２がインターネットを含む通信ネットワーク１に接続される一方、管理センタとしての管理サーバ３が通信ネットワーク１に接続される。なお、本実施例においては、主として煙草を扱う自動販売機として例示するものとする。
【００２１】
図２は、本実施形態に係る自動販売機２の全体を概略的に表す斜視図、図３は、自動販売機２の構成の例を示す図である。図２に示すように、自動販売機２は、例えば各種税金が課せられている煙草等の商品を無人で販売する装置であり、その正面に、商品を表示するとともに選択ボタン２７（購入商品特定手段）を有するディスプレイ部２ａと、コイン投入口（紙幣投入口）、返却レバー及び釣銭返却口等を有する対価処理部２ｂと、選択された商品を排出する商品排出口２ｃと、例えば購入者が所持するＩＤカードに記憶された識別コード等の情報を読み取る読取部２６（購入者特定手段）と、各種情報を表示するカラー液晶ディスプレイ等の表示部２８（表示手段）とを備える。そして、これらは、図３に示すように入出力のＩ／Ｏインターフェース（図中ではＩ／Ｏと表示）２４に、バスライン２５を介して各種制御の中核をなすＣＰＵ２１、ワークメモリとしての一時記憶をなすＲＡＭ２２、各種プログラムが記憶されたＲＯＭ２３等が接続されてなるマイコンを主体として構成された制御装置２０によって自動販売機２としての機能を実現する。また、モデム、ルータ等の通信装置（購入情報送信手段）２９を介してインターネットを含む通信ネットワーク１に接続されている。
【００２２】
ここで、購入者（喫煙者）が所持するＩＤカードは、年齢など、喫煙が許可されているかを識別するための識別コード等のＩＤ情報が書き込まれているＩＣカードあるいは磁気カード等の情報記録媒体である。読取部２６は、そのＩＤカードがＩＣカードである場合、ＩＤカードが近づけられると、ＩＤカードと読取部２６との間で通信が行われ、ＩＤカードから読み取られたＩＤ情報が制御装置２０或いは管理サーバ３に送られる。
【００２３】
図４に、管理サーバ３の構成の一例を示す。図４に示すように、管理サーバ３は、コンピュータとして構成され、モデム、ルータ等の通信装置４０（受信手段，情報送信手段）を介してインターネット等の通信ネットワーク１に接続され、入出力のＩ／Ｏインターフェース（図中ではＩ／Ｏと表示）３５に、バスライン３６を介して制御手段の中核をなすＣＰＵ３１、ワークメモリとしての一時記憶をなすＲＡＭ３２、各種プログラムが記憶されたＲＯＭ３３、高容量記憶装置としてのハードディスクドライブ３４（ＨＤＤ）が接続されている。また記憶媒体としてその他の記憶装置（ＣＤ−ＲＯＭドライブ，ＤＶＤドライブ等）を接続することができる。さらに、キーボードやマウス等の入力装置３７、モニタ等の表示出力手段としての表示装置３８、プリンタ等の印字出力手段としての印字装置３９等がＩ／Ｏインターフェース３５に接続されている。
【００２４】
記憶装置としてのハードディスクドライブ３４には、図４に示すように、自動販売機管理システムの機能をコンピュータ上にて実現するための自動販売機管理プログラム３４ａと、それら作動環境をコンピュータ上に形成するオペレーティングシステムプログラム３４ｂ（ＯＳ）と、自動販売機管理システムのための各種処理に使用するデータベース３４ｃ（例えば、購入者情報データベース３４１ｃ、納税情報データベース３４２ｃ、商品税金情報メモリ３４３ｃなど）が格納されている。ＲＡＭ３２には、記憶装置及びＲＯＭ３３に格納された各プログラムのワークエリアが形成されている。さらに、ＲＯＭ３３には、コンピュータのハードウェア制御のための基本的な各種プログラムが格納される。なお、本発明のおいてハードディスク２４が税金情報記憶手段、購入者納税情報記憶手段に相当する。
【００２５】
次に、以上のような自動販売機管理システムの処理の流れについて説明する。図５は、自動販売機２と管理センタとしての管理サーバ３とにおける各処理の流れの一例を、両者の間でのデータの遣り取りとともに並列的に示したフロー図である。まず、管理サーバ３において、入力装置３７の入力に基づき、各種煙草銘柄毎の価格及びその税負担額（内訳）を税金情報データとしてデータベース３４ｃの商品税金情報メモリ３４３ｃに記憶する（ステップＴ１）。例えば、税率の値上がりなどがあった場合にはこの記憶された商品税金情報メモリ３４３ｃが入力装置３７の入力に基づき変更・更新される。ここで、図７に税金情報データの一例を示す。図７に示すように、銘柄１は煙草１箱の価格が３００円であるのに対し、その内１８９円（国たばこ税：７１円、地方たばこ税：８８円、たばこ特別税：１６円、消費税：１４円）が税負担額である。なお、煙草１本における価格及びその内訳（税負担額）を税金情報データとして記憶してもよい。
【００２６】
一方、自動販売機２において、購入者によりコイン投入口２ｂ（又は紙幣投入口）から購入希望する商品（煙草）に対応する金額が入れられ、さらにディスプレイ部２ａに展示された煙草見本に対応して位置する選択ボタン２７が押下されることにより（ステップＳ１：Ｙｅｓ）、その選択ボタン２７の信号を受け、その信号をＩ／Ｏ２４を介して制御装置２０のＲＡＭ２２に一時記憶するとともに、ＣＰＵ２１が購入商品を特定する（ステップＳ２）。次に、ステップＳ３において、先に特定した購入商品を購入商品情報データとして通信装置２９から通信ネットワーク１を介して管理サーバ３に送信される。なお、自動販売機２の機能としてＣＰＵ２１の指令に基づき、押下された選択ボタン２７に対応する煙草を排出口２ｃに購入者が取り出し可能となるように排出（提供）するとともに、釣銭がある場合にはその釣銭を対価処理部２ｂである返却口に返却することとなる。
【００２７】
次に、管理サーバ３では、これを通信装置４０（受信手段）で受け（ステップＴ２：Ｙｅｓ）、ＣＰＵ３１の指令により商品税金情報メモリ３４３ｃから受信した購入商品情報と対応する税金情報を読み出し（ステップＴ３）、その読み出した税金情報データを通信装置４０から通信ネットワーク１を介して自動販売機２に送信する（ステップＴ４）。続いて自動販売機２では、これを通信装置２９で受けて（ステップＳ４：Ｙｅｓ）、その受信した税金情報を表示部２８のモニタ上に目視可能な形で表示させる（ステップＳ５）。ここで、図９に自動販売機２の表示部２８に表示される画面の一例を示す。図９に示すように、表示部２８には、購入者が購入した商品名（煙草名）と、価格、税負担額（その内訳）が表示されている。これにより、購入者は煙草を購入したときに排出口２ｃから煙草を取り出すとともに、表示部２８を確認することができるので、その時自分が買った煙草に対して納税額が幾らだったのかを把握することとなり、社会的に健康に悪影響であると言われているなかで、納税者であるという自覚を持つことができ気分よく煙草をすうことができる。
【００２８】
本システムによれば、管理サーバ３で一括して煙草の税金情報を管理しているので、価格及び税率などが変動した場合にも簡単な作業でその変更に対応することができる。また、自動販売機毎で取扱う銘柄が異なっていても、その商品単位毎に税金情報を格納しているので容易に対応することができる。
【００２９】
次に、自動販売機管理システムの別の処理の流れについて説明する。図６は、自動販売機２と管理センタとしての管理サーバ３とにおける各処理の流れの別の例を、両者の間でのデータの遣り取りとともに並列的に示したフロー図である。まず、管理サーバ３において、ステップＴ１１において上記実施例と同様に入力装置３７の入力に基づき、各種煙草銘柄毎の価格及びその税負担額（内訳）を税金情報データとしてデータベース３４ｃの商品税金情報メモリ３４３ｃに記憶する（図７参照）。続いて、本システムのサービスを希望する喫煙者（煙草購入者）の申し込みを受け付け、その受け付けた内容に基づき購入者情報として購入者情報データベース３４１ｃとして記憶する（ステップＴ１２）。ここで記憶（登録）された喫煙者（煙草購入者）には、本システムを利用するための例えばＩＤカード（図示せず）が発行される。なお、購入者情報の登録方法としては、例えば、管理サーバ３を業として管理する管理センタに電話、ＦＡＸ、電子メール、或いはその管理センタが運営するホームページ等で氏名、年齢、住所、電話番号、性別などの個人情報を連絡することで登録することができる。
【００３０】
一方、自動販売機２において、煙草を購入しようとする購入者（購入希望者）により、その購入者が所持するＩＤカード（図示せず）が読取部２６に近づけられると（ステップＳ１１：Ｙｅｓ）、ステップＳ１２において、その近づけられたＩＤカードから購入者を特定する識別コードを読取部２６が読み取り、その読み取った識別コードで購入者が特定される。そして、その特定した購入者情報（識別コード）がＩ／Ｏ２４を介して制御装置２０のＲＡＭ２２に一時記憶される。次に、購入者によりコイン投入口２ｂ（又は紙幣投入口）から購入希望する商品（煙草）に対応する金額が入れられ、さらにディスプレイ部２ａに展示された煙草見本に対応して位置する選択ボタン２７が押下されることにより（ステップＳ１３：Ｙｅｓ）、その選択ボタン２７の信号を受け、その信号がＩ／Ｏ２４を介して制御装置２０のＲＡＭ２２に一時記憶されるとともに、ＣＰＵ２１が購入商品を特定する（ステップＳ１４）。次に、ステップＳ１５において、先に特定した購入者情報（識別コード）と購入商品とを購入者情報データと購入商品情報データとして通信装置２９から通信ネットワーク１を介して管理サーバ３に送信される。なお、自動販売機２の機能としてＣＰＵ２１の指令に基づき、押下された選択ボタン２７に対応する煙草を排出口２ｃに購入者が取り出し可能となるように排出（提供）するとともに、釣銭がある場合には釣銭も返却口（対価処理部２ｂ）に返却することとなる。
【００３１】
次に、管理サーバ１３では、これらを通信装置４０（受信手段）で受け（ステップＴ１３：Ｙｅｓ）、続いて、ＣＰＵ３１の指令により商品税金情報メモリ３４３ｃから受信した購入商品情報データと対応する税金情報を読み出し（ステップＴ１４）、その読み出した税金情報データを、受信した購入者情報データと関連付けて納税情報としてデータベース３４ｃの納税情報データベース３４２ｃに記憶・更新する（ステップＴ１５）。ここで、図８に購入者納税情報データの一例を示す。図８に示すように、購入者納税情報として予め定められた期間内（この例では、月毎、年毎に表示されている）において累積した税金情報が購入者（ＩＤ）毎に記憶されている。
【００３２】
図６に戻り、ステップＴ１５で記憶・更新した購入者納税情報データを通信装置４０から通信ネットワーク１を介して自動販売機２に送信する（ステップＴ１６）。続いて自動販売機２では、これを通信装置２９で受け（ステップＳ１６：Ｙｅｓ）、その受信した購入者納税情報を表示部２８のモニタ上に目視可能な形で表示させる（ステップＳ１７）。ここで、図１０に自動販売機２の表示部２８に表示される画面の一例を示す。図１０に示すように、表示部２８には、購入者を示すＩＤと、予め定められた期間内における該購入者が納めた税金の累計が表示されている。これにより、購入者は煙草を購入したときに排出口２ｃから煙草を取り出すとともに、表示部２８を確認することができるので、その時までの自分が納めた納税額が幾らであるのかを把握することとなり、社会的に健康に悪影響であると言われているなかで、納税者であるという自覚を持つことができ気分よく煙草を吸うことができる。或いは、累積した額が表示されるので、納税額が明確になるため吸いすぎなどと感じた場合には禁煙或いは節煙へと繋がる。
【００３３】
なお、煙草購入者への情報提供（表示部２８による情報表示）としては、自身の喫煙状況に限らず、所定期間内（例えば年毎）の全国又は地方毎におけるトータルな納税額又は、その税金が使用された用途を税金情報として自動販売機２の表示部２８に表示させてもよい。これにより、自分は社会貢献しているという自覚を持つことができ、気分よく煙草を吸うことができる。
【００３４】
次に本発明に係る別の実施形態について説明する。上記実施例においては通信ネットワーク１を介して自動販売機２と管理サーバ３とを接続して、該自動販売機２の管理を行う例を説明したが、自動販売機２単独でも本発明を実現することができる。以下の説明では、上述した、実施形態と異なる部分について主に述べ、重複する部分については同番号を付して説明を省略又は簡略化する。図１１は、自動販売機の構成の別の例を示す図である。自動販売機２単独で本発明を実現するために、図１１に示すように必要に応じて上述したプログラム及びデータベースを記憶することができる高容量記憶装置であるハードディスクドライブ（ＨＤＤ）５０及びそれらデータベースを入力する入力部５１を別途備えることができる。なお、自動販売機２自身、又はそれに接続する形でコンピュータを構成してもよい
【００３５】
次に、自動販売機２の処理の流れについて説明する。図１２は自動販売機２における処理の流れの一例を示すフロー図である。まず、購入者によりコイン投入口２ｂ（又は紙幣投入口）から購入希望する商品に対応する金額が入れられ、さらにディスプレイ部２ａに展示された煙草見本に対応して位置する選択ボタン２７が押下されることにより（ステップＳ２１：Ｙｅｓ）、その選択ボタン２７の信号を受け、その信号をＩ／Ｏ２４を介して制御装置２０のＲＡＭ２２に一時記憶するとともに、ＣＰＵ２１が購入商品を特定する（ステップＳ２２）。ここで、自動販売機２には、予め例えばＨＤＤ５０に入力部５１の入力又は通信装置２９を介して、各種煙草銘柄毎の価格及びその税負担額を税金情報データとしてデータベースに記憶されており、先に特定した購入商品に対応する税金情報データをデータベースから読み出し（ステップＳ２３）、その読み出した税金情報を表示部２８のモニタ上に目視可能な形で表示させる（ステップＳ２４）。また、自動販売機２の機能としてＣＰＵ２１の指令に基づき、押下された選択ボタン２７に対応する煙草を排出口２ｃに購入者が取り出し可能となるように排出（提供）するとともに、釣銭がある場合には釣銭も返却口（対価処理部２ｂ）に返却することとなる。これにより、購入者は煙草を購入したときに排出口２ｃから煙草を取り出すとともに、表示部２８を確認することができるので、その時自分が買った煙草に対して納税額が幾らだったのかを把握することとなり、社会的に健康に悪影響であると言われているなかで、納税者であるという自覚を持つことができ気分よく煙草をすうことができる。
【００３６】
次に、自動販売機２の別の処理の流れについて説明する。図１３は自動販売機２における処理の流れの別の例を示すフロー図である。本システムのサービスを希望する喫煙者（煙草購入を希望する購入者）は、上述した実施例と同様の手順でＩＤカードを所持することができる。また、予め本システムのサービスを希望する喫煙者（煙草購入者）の申し込みを受け付け、その受け付けた内容に基づき購入者情報として購入者情報データベースに記憶されており、煙草を購入しようとする購入者（購入希望者）により、その購入者が所持するＩＤカードが読取部２６に近づけられると（ステップＳ３１：Ｙｅｓ）、ステップＳ３２において、その近づけられたＩＤカードから購入者を特定する識別コードを読取部２６が読み取り、その読み取った識別コードで購入者が特定される。そして、その特定した購入者情報（識別コード）がＩ／Ｏ２４を介して制御装置２０のＲＡＭ２２に一時記憶される。次に、購入者によりコイン投入口２ｂ（又は紙幣投入口）から購入希望する商品（煙草）に対応する金額が入れられ、さらにディスプレイ部２ａに展示された煙草見本に対応して位置する選択ボタン２７が押下されることにより（ステップＳ３３：Ｙｅｓ）、その選択ボタン２７の信号を受け、その信号がＩ／Ｏ２４を介して制御装置２０のＲＡＭ２２に一時記憶されるとともに、ＣＰＵ２１が購入商品を特定する（ステップＳ３４）。ここで、自動販売機２には、例えばＨＤＤ５０に入力部５１の入力又は通信装置２９を介して、各種煙草銘柄毎の価格及びその税負担額の税金情報データがデータベースに記憶されており、先に特定した購入商品に対応する税金情報データをデータベースから読み出し（ステップＳ３５）、その読み出した税金情報を先に特定した購入者情報（識別コード）に関連付けて納税情報としてＨＤＤ５０に記憶・更新する。そして、その記憶・更新した購入者納税情報を表示部２８のモニタ上に目視可能な形で表示させる（ステップＳ３７）。また、自動販売機２の機能としてＣＰＵ２１の指令に基づき、押下された選択ボタン２７に対応する煙草を排出口２ｃに購入者が取り出し可能となるように排出（提供）するとともに、釣銭がある場合には釣銭も返却口に返却することとなる。これにより、購入者は煙草を購入したときに排出口２ｃから煙草を取り出すとともに、表示部２８を確認することができるので、その時までの自分が納めた納税額が幾らだであるのかを把握することとなり、社会的に健康に悪影響であると言われているなかで、納税者であるという自覚を持つことができ気分よく煙草を吸うことができる。
【００３７】
以上のように、本発明に係るシステム又は自動販売機によれば、喫煙（煙草購入）により徴収された金銭の一部（税金）の使用用途や利用額を情報として提供することが出来るので、その情報を確認することで喫煙者が快く喫煙できるようにすることが可能となる。なお、税金情報の提供は自動販売機２の表示部２８への表示だけに限るものではなく、サービス提供時に登録するメールアドレス宛に配信・閲覧可能できるようにしてもよく、該購入者（利用者）が所持する携帯端末に送信してもよい。ホームページ上での告知、新聞発表、広告、ビラ等でもよい。利用状況、購入状況よりポイント制度を設け、特典等を設けることも可能となる。
【００３８】
なお、本発明において、上記実施例に限定されるものではなく、特許請求の範囲の趣旨を逸脱しない限りにおいて、目的、用途に応じて当業者の知識に基づく種々の変更が可能である。
【図面の簡単な説明】
【００３９】
【図１】本発明の全体構成の一例を概念的に示す図。
【図２】本実施形態に係る自動販売機の全体を概略的に表す斜視図。
【図３】自動販売機の構成の例を示す図。
【図４】管理サーバの構成の例を示す図。
【図５】自動販売機と管理サーバとにおける各処理の流れの一例を示すフロー図。
【図６】自動販売機と管理サーバとにおける各処理の流れの別の例を示すフロー図。
【図７】税金情報データの一例を示す図。
【図８】購入者納税情報データの一例を示す図。
【図９】自動販売機の表示部に表示される画面の一例を示す図。
【図１０】自動販売機の表示部に表示される画面の一例を示す図。
【図１１】自動販売機の構成の別の例を示す図。
【図１２】自動販売機における処理の流れの一例を示すフロー図。
【図１３】自動販売機における処理の流れの別の例を示すフロー図。
【符号の説明】
【００４０】
１  通信ネットワーク
２  自動販売機
３  管理サーバ（管理センタ）
２０  制御装置（読出手段）
２６  読取部（購入者特定手段）
２７  選択ボタン（購入商品特定手段）
２８  表示部（表示手段）
【図１】
2008071132.tif 000003
【図２】
2008071132.tif 000004
【図３】
2008071132.tif 000005
【図４】
2008071132.tif 000006
【図５】
2008071132.tif 000007
【図６】
2008071132.tif 000008
【図７】
2008071132.tif 000009
【図８】
2008071132.tif 000010
【図９】
2008071132.tif 000011
【図１０】
2008071132.tif 000012
【図１１】
2008071132.tif 000013
【図１２】
2008071132.tif 000014
【図１３】
2008071132.tif 000015